(57)【要約】【課題】構造が簡単であるとともに、エアクリーナのケースに対する組み付けを容易に行うことができるフィルタを提供する。【解決手段】フィルタ１３は、インレット１１２を有する第１ケース１１のフランジ１１１とアウトレット１２２を有する第２ケース１２のフランジ１２１との間に、濾材１４の外周枠部１５において挟持されるように構成する。濾材１４におけるエア流の下流側には、蒸発燃料ガスを吸着するための吸着シート１６を取り付ける。この場合、濾材１４の外周枠部１５に吸着シート１６の外周部を埋設することにより、吸着シート１６を濾材１４に対して取り付ける。【選択図】図１
2013231387.tif 000002
【特許請求の範囲】
【請求項１】
濾材におけるエア流の下流側には、蒸発燃料ガスを吸着するための吸着シートを取り付けたことを特徴とするフィルタ。
【請求項２】
前記濾材の外周枠部に吸着シートの外周部を埋設したことを特徴とする請求項１に記載のフィルタ。
【請求項３】
前記濾材と吸着シートとの間に間隔を設けたことを特徴とする請求項１または２に記載のフィルタ。
【請求項４】
前記吸着シートの外周部が濾材の外周枠部における内周側の部分に埋設されていることを特徴とする請求項２または３に記載のフィルタ。
【請求項５】
濾材の外周枠部を柔軟弾性材によって構成したことを特徴とする請求項１〜５のうちのいずれか一項に記載のフィルタ。
【請求項６】
インレットを有する第１ケースのフランジとアウトレットを有する第２ケースのフランジとの間に、請求項１〜５のうちのいずれか一項に記載のフィルタの濾材の外周枠部を挟持したエアクリーナであって、
前記濾材におけるエア流の下流側には、蒸発燃料ガスを吸着するための吸着シートを取り付けたことを特徴とするエアクリーナ。
【請求項７】
前記吸着シートの外周部を第１，第２ケースのフランジ間に位置に設けたことを特徴とする請求項６に記載のエアクリーナ。
【発明の詳細な説明】
【技術分野】
【０００１】
この発明は、エンジンのエアクリーナに組み込まれて、吸引した空気を濾過するようにしたフィルタ及びそのフィルタを用いたエアクリーナに関するものである。
【背景技術】
【０００２】
従来、この種の構成としては、例えば特許文献１に開示されるようなものが提案されている。この従来構成においては、インレットを有する第１ケースのフランジとアウトレットを有する第２ケースのフランジとの間に、吸引空気を濾過するための濾過フィルタが外周枠部において挟持されている。第２ケースにおける濾過フィルタ側の開口部には、エンジン側から漏洩した蒸発燃料ガスを吸着するための吸着シートがサポート部材とともに固定されている。そして、この特許文献１においては、吸着シートの外周部がサポート部材とともに第２ケースの段部に振動溶着された構成と、同じく吸着シートの外周部がサポート部材とともに第２ケースの段部にカシメピンによってカシメられた構成とが開示されている。
【先行技術文献】
【特許文献】
【０００３】
【特許文献１】特許第４７４４３９１号公報
【発明の概要】
【発明が解決しようとする課題】
【０００４】
前記の従来構成においては、蒸発燃料ガスを吸着するための吸着シートが濾過フィルタとは別体で構成され、その吸着シートが濾過フィルタとは別に振動溶着やカシメピンによって第２ケースに取り付けられている。このため、吸着シートの組み付けを濾過フィルタとは別に行なう必要があって面倒であった。しかも、吸着シートは振動溶着やカシメピンによって第２ケースに固着されるため、吸着シートが損傷したような場合に交換したり、汚損した場合に清掃のために脱着したりすることはほとんど不可能である。
【０００５】
また、吸着シートの外周部をカシメピンで固定した構成においては、カシメピン間の部分において外周部と第２ケースとの間に隙間が形成されやすく、隙間が形成された場合は、蒸発燃料ガスが濾過フィルタ側に漏洩するおそれがあった。さらに、吸着シートが濾過フィルタに面する段部に固定されているため、濾過フィルタよりもエンジン側に生じるバックファイアの圧力によって吸着シートが段部から外れるおそれがあった。
【０００６】
一方、第２ケースには吸着シートを設置するための段部や、カシメピンを設ける必要があるため、第２ケースの構成が複雑になる問題もあった。そして、吸着シートを設けるためには、ケースに前記段部のような構成が必要であるため、吸着シートを持たない既存のケース内に吸着シートを設けることはできない。
【０００７】
この発明は、このような従来の技術に存在する問題点に着目してなされたものである。その目的は、エアクリーナの構造が簡単であるとともに、吸着シートをエアクリーナに対して容易に組み付けることができるフィルタ及びエアクリーナを提供することにある。
【課題を解決するための手段】
【０００８】
上記の目的を達成するために、フィルタに関する発明は、濾材におけるエア流の下流側には、蒸発燃料ガスを吸着するための吸着シートを取り付けたことを特徴としている。
従って、この発明のフィルタにおいては、吸引空気を濾過するための濾材と蒸発燃料ガスを吸着するための吸着シートとが、濾材におけるエア流の下流側に吸着シートを取り付けることによって一体化されている。このため、フィルタが単一構成となって、その構造が簡単になるとともに、エアクリーナに対するフィルタの組み付けを容易に行うことができる。
【０００９】
前記の構成において、前記濾材の外周枠部に吸着シートの外周部を埋設するとよい。
前記の構成において、前記吸着シートの外周部を第１，第２ケースのフランジ間に位置に設けるとよい。
【００１０】
前記の構成において、前記濾材と吸着シートとの間に間隔を設けるとよい。
前記の構成において、濾材の外周枠部を柔軟弾性材によって構成するとよい。
エアクリーナに関する発明においては、インレットを有する第１ケースのフランジとアウトレットを有する第２ケースのフランジとの間に、請求項１〜５のうちのいずれか一項に記載のフィルタの濾材の外周枠部を挟持したエアクリーナであって、前記濾材におけるエア流の下流側には、蒸発燃料ガスを吸着するための吸着シートを取り付けたことを特徴としている。
【００１１】
前記の構成において、前記吸着シートの外周部を第１，第２ケースのフランジ間に位置に設けるとよい。
【発明の効果】
【００１２】
以上のように、この発明によれば、エアクリーナの構造を簡単にできるとともに、フィルタをエアクリーナのケースに対して容易に組み付けることができるという効果を発揮する。
【図面の簡単な説明】
【００１３】
【図１】第１実施形態を示す断面図。
【図２】図１のフィルタの分解斜視図。
【図３】同フィルタの部分拡大断面図。
【図４】第２実施形態を示す部分断面図。
【図５】第３実施形態を示す部分断面図。
【発明を実施するための形態】
【００１４】
（第１実施形態）
以下に、この発明を具体化したフィルタ及びそのフィルタを備えたエアクリーナの第１実施形態を図１〜図３に従って説明する。
【００１５】
図１に示すように、この実施形態のエアクリーナのハウジング１０は、上面を開口した箱形の第１ケース１１と、下面を開口した箱形の第２ケース１２とを備えている。第１ケース１１の上端開口部の周縁には、フランジ１１１が形成されている。第１ケース１１の周壁の一側部には、大気に開放されるインレット１１２が突設されている。第２ケース１２の下端開口部の周縁には、第１ケース１１のフランジ１１１に対応するフランジ１２１が形成されている。第２ケース１２の周壁における前記インレット１１２と反対側の側部には、エンジンの吸気側に接続されるアウトレット１２２が突設されている。そして、図示しないクランプ金具等により、両ケース１１，１２がそれらのフランジ１１１，１２１において開閉可能に組み付けられる。
【００１６】
図１に示すように、前記第１ケース１１のフランジ１１１と第２ケース１２のフランジ１２１との間には、フィルタ１３が着脱可能に取り付けられている。図１〜図３に示すように、このフィルタ１３は、吸引空気を濾過するための襞折り状の不織布等よりなる濾材１４と、その濾材１４の外周に形成された外周枠部１５とを備えている。この外周枠部１５はゴム等の柔軟弾性材により構成され、その外周縁部には断面山形状をなす肉厚状のシール部１５１が形成されている。そして、フィルタ１３が濾材１４の外周枠部１５のシール部１５１において、両ケース１１，１２のフランジ１１１，１２１間に挟持されている。この状態で、柔軟弾性材よりなる外周枠部１５のシール部１５１によって、両ケース１１，１２間が気密にシールされている。
【００１７】
図１〜図３に示すように、前記フィルタ１３の濾材１４のエア流の下流側には、エンジン側から漏洩してきた蒸発燃料ガスを吸着するとともに、僅かな通気抵抗でエア流を通過させるための吸着シート１６が設けられている。この吸着シート１６は、通気性の良好な不織布よりなる一対の外被シート材１７と、両外被シート１７材間に収容された多孔質材である粒状活性炭よりなる吸着材１８と、両外被シート１７材の外側に重合配置された耐熱性を有するとともに、機械的強度に優れた合成樹脂製の網材よりなる一対の補強シート１９材と、外被シート１７材及び補強シート材１９の外周部に形成された硬質合成樹脂よりなる枠部２０とを備えている。そして、前記濾材１４に対する外周枠部１５の成形時に、吸着シート１６の外周の枠部２０が濾材１４の外周枠部１５のシール部１５１内に埋設されて、濾材１４と吸着シート１６とが一体化されている。この枠部２０は、両ケース１１，１２のフランジ１１１，１２１間の位置に配置され、それらのフランジ１１１，１２１によってシール部１５１とともに挟持されている。
【００１８】
吸着シート１６は濾材１４のエア流の下流側端面に対して間隔２１をおいて配置されている。
次に、前記のように構成されたフィルタの作用を説明する。
【００１９】
このエアクリーナに用いられるフィルタ１３では、吸引空気を濾過するための濾材１４と蒸発燃料ガスを吸着するための吸着シート１６とが一体的に構成されている。このため、濾過フィルタと吸着シートとを別々に構成した従来構成とは異なり、それら１４，１６を別々にエアクリーナのハウジングに組み付ける必要がなく、フィルタ１３の組付けを簡単に行うことができる。
【００２０】
そして、エアクリーナのハウジング１０内にフィルタ１３が組み付けられた状態で、エンジンが駆動されたときには、吸引空気がインレット１１２から第１ケース１１内に流入し、フィルタ１３の濾材１４により濾過された後、第２ケース１２内からアウトレット１２２を介してエンジンの吸気系に供給される。よって、塵埃等を含まないクリーンな空気がエンジンの吸気側に供給される。
【００２１】
また、エンジンの停止後に、エンジン側から蒸発燃料ガスが漏洩して、アウトレット１２２より第２ケース１２内に流入した場合には、その蒸発燃料ガスが吸着シート１６の吸着材１８により吸着される。よって、大気中への蒸発燃料ガスの漏出を防止することができる。そして、その後のエンジン運転によって、吸着材１８に吸着された蒸発燃料ガスは、エア流ととともにエンジンの吸気側に吸引されて、燃焼される。
【００２２】
従って、この実施形態によれば、以下のような効果を得ることができる。
（１）  濾材１４のエア流の下流側に位置するように、蒸発燃料ガスを吸着するための吸着シート１６がフィルタ１３の外周枠部１５に取り付けられている。このため、吸引空気を濾過するための濾材１４と蒸発燃料ガスを吸着するための吸着シート１６とを、別体でなく一体に構成することができる。よって、フィルタ１３を第１，第２ケース１１，１２のフランジ１１１，１２１間に組み付ければ、吸着シート１６も同時に組み付けられる。従って、フィルタ１３と吸着シート１６とを別々にハウジング１０に組み付ける必要がなく、エアクリーナの組み付けが容易になる。
【００２３】
（２）  吸着シート１６をハウジング１０に振動溶着したり、カシメたりする必要がない。従って、吸着シート１６の組み付けが容易である。
（３）  ハウジング１０内に吸着シート１６を単独で組み付ける必要がないため、ハウジング１０内に吸着シート１６を組み付けるための段部やカシメピン等の構成が不要になり、ハウジング１０の構成が簡単になる。
【００２４】
（４）  濾材１４の外周枠部１５に吸着シート１６の外周部が埋設されるように、前記外周枠部１５を成形すればよいため、濾材１４におけるエア流の下流側に吸着シート１６を簡単に配置することができる。
【００２５】
（５）  前記濾材１４と吸着シート１６との間に間隔が設けられている。このため、濾材１４と吸着シート１６とが接触することはなく、その接触によるバタつき騒音が発生するおそれを抑制することができる。また、前記間隔が設けられているため、ハウジング１０内等でバックファイアが発生した場合において、その圧力によって吸着シート１６が濾材１４に当たることを回避できて、濾材１４の損傷を防止することが可能となる。
【００２６】
（６）  前記濾材１４の外周枠部１５が柔軟弾性材より構成されている。このため、外周枠部１５が第１ケース１１のフランジ１１１と第２ケース１２のフランジ１２１との間に挟持されることにより、両ケース１１，１２間を気密にシールすることができる。加えて、外周枠部１５がフランジ１１１，１２１間に挟持されるため、フランジ１１１，１２１と対応した位置に配置されている吸着シート１６の枠部２０が濾材１４の外周枠部１５を介してフランジ１１１，１２１間に挟持されることになる。従って、吸着シート１６の枠部２０が全周シール状態に固定されることになって、吸着シート１６の枠部２０の外周側から燃料蒸気ガスが漏洩することを防止できる。
【００２７】
（７）  吸着シート１６は濾材１４の下流側に支持されているため、バックファイアが発生しても、その圧力で吸着シート１６が濾材１４から外れるようなことを防止できる。
（８）  吸着シート１６は濾材１４の外周枠部１５に支持されているため、ハウジング１０側には吸着シート１６を保持するための構成は不要である。従って、既存のハウジング１０に吸着シートを設けることができる。
【００２８】
（９）  前記のように、吸着シート１６は濾材１４に支持されている。従って、吸着シート１６を濾材１４とともにハウジング１０に対して脱着でき、吸着シート１６を濾材１４とともに交換したり、ハウジング１０外で清掃したりすることが可能である。
【００２９】
（第２実施形態）
次に、この発明を具体化したフィルタの第２実施形態を前記第１実施形態と異なる部分を中心に説明する。
【００３０】
この第２実施形態においては、図４に示すように、濾材１４の外周枠部１５が柔軟弾性材により構成されるとともに、そのシール部１５１の内周側の部分に埋設部１５２が形成されている。そして、吸着シート１６の外周の枠部２０が外周枠部１５のシール部１５１に影響することなく、その内周側の埋設部１５２内に埋設されている。
【００３１】
従って、この第２実施形態によれば、以下のような効果を得ることができる。
（１０）  吸着シート１６の外周部が柔軟弾性材よりなる外周枠部１５の内周側に設けられた埋設部１５２内に埋設されている。このため、柔軟弾性材からなる外周枠部１５のシール部１５１のシール機能を有効に発揮できる。
【００３２】
（第３実施形態）
次に、この発明を具体化したフィルタの第３実施形態を、前記第１実施形態と異なる部分を中心に説明する。
【００３３】
この第３実施形態においては、図５に示すように、吸着シート１６の枠部２０が外側に向かって下降する傾斜状に折り曲げ形成されている。そして、この吸着シート１６の枠部２０が濾材１４の外周枠部１５のシール部１５１の内側縁に対して傾斜状態で埋設されている。これにより、柔軟弾性材からなる外周枠部１５のシール部１５１の柔軟性が維持されるとともに、濾材１４と吸着シート１６との間に大きな間隔２１が確保されている。
【００３４】
従って、この第３実施形態によれば、以下のような効果を得ることができる。
（１１）  吸着シート１６の枠部２０が傾斜状に折り曲げ形成されて、濾材１４の外周枠部１５に埋設されているため、濾材１４と吸着シート１６との間の間隙を広くすることができ、バタつき騒音等が発生するおそれを一層効果的に抑制することができる。
【００３５】
（変更例）
なお、この実施形態は、次のように変更して具体化することも可能である。
・  濾材１４の外周枠部１５を硬質の合成樹脂材により構成すること。
【００３６】
・  吸着シート１６の吸着材１８を粒状活性炭に代えて繊維状活性炭や粒状ゼオライトによって構成すること。
【符号の説明】
【００３７】
１１…第１ケース、１１１…フランジ、１１２…インレット、１２…第２ケース、１２１…フランジ、１２２…アウトレット、１３…フィルタ、１４…濾材、１５…外周枠部、１６…吸着シート、１８…吸着材、２０…縁枠部、２１…間隔。
【図１】
2013231387.tif 000003
【図２】
2013231387.tif 000004
【図３】
2013231387.tif 000005
【図４】
2013231387.tif 000006
【図５】
2013231387.tif 000007